(57)【要約】まず、スタックからの郵便物ないし多重取出しを１つずつＰ個の分類端末へ続けざまに分類するｍ回のパスを持つファンソートプロセスを実行する。ただし、ｍ≧１である。パスの数ｍは要求される制度に依存して選ばれる。そのあとで、検出器により測定された多重取出しの回数ＮＡＤと検出器により測定された単独取出しの回数ＮＡＳを求め、関連する各々の分類端末の中にある郵便物の数をそれぞれの分類端末に関する検出器の測定結果と比較することにより、誤って検出された単独取出しの回数ＮＳＤと誤って検出された多重取出しの回数ＮＤＳを求める。
2006519741.tif 000002
【特許請求の範囲】
【請求項１】
多重取出しを識別する検出器と分類機の、多重取出しに関する性能値を求める方法において、
ａ）ｍ≧１回のパスを持つファンソートプロセスを実行し、該ファンソートプロセスの各パスにおいて、
ａ１）取出し装置により平たい郵便物のスタックから続けざまにＰ回の取出しを行い、
ａ２）各取出しについて、多重取出しを識別する検出器によりそのつど単独取出しなのか又は多重取出しなのかを識別し、
ａ３）各取出しについて、そのつど取り出された郵便物の集合をＰ個の空の分類端末のうちの１つに導き、
ａ４）関連するＰ個の分類端末の各々について、分類端末の中にある郵便物の数を前記検出器の測定結果と比較することにより、当該パスにおいて誤って多重取出しとして検出された単独取出しの回数ＮＳＤ（ｍ）と当該パスにおいて誤って単独取出しとして検出された多重取出しの回数ＮＤＳ（ｍ）と求め、
ｂ）そのつどＰ回の取出しを行うｍ回のパスにおいて合計でＮ回行われる取出しについて、前記検出器により識別された多重取出しの回数ＮＡＤと前記検出器により識別された単独取出しの回数ＮＡＳを求め、
ｃ）誤って検出された単独取出しの合計回数ＮＳＤと誤って検出された多重取出しの合計回数ＮＤＳをそれぞれ前記値ＮＳＤ（ｍ）又はＮＤＳ（ｍ）を合計することにより求め、
ｄ）ステップｂ）及びｃ）において求められた値ＮＡＤ，ＮＡＳ，ＮＳＤ及びＮＤＳから性能値を計算することを特徴とする、多重取出しを識別する検出器と分類機の、多重取出しに関する性能値を求める方法。
【請求項２】
前記取出し装置の性能値として、多重取出しの実際の回数ＮＤと実行されたすべての取出しの回数Ｎとから、
【数１】
2006519741.tif 000012
に従って多重取出し率ＤＦＲを計算する、請求項１記載の方法。
【請求項３】
前記検出器の性能値として、正しく検出された多重取出しの回数ＮＤＤと多重取出しの実際の回数ＮＤとから、
【数２】
2006519741.tif 000013
に従って識別率ＤＲを計算する、請求項１記載の方法。
【請求項４】
前記検出器の性能値として、誤って多重取出しとして検出された単独取出しの回数ＮＳＤと単独取出しの実際の回数ＮＳとから、
【数３】
2006519741.tif 000014
に従って誤り率ＥＲを計算する、請求項１記載の方法。
【発明の詳細な説明】
【技術分野】
【０００１】
本発明は、多重取出しを識別する検出器と分類機の、多重取出しに関する性能値を求める方法に関する。
【０００２】
刊行物ＪＰ  ２００２−２３９  ４７１ＡＡ及びＪＰ  ２００２−２３９  ４７１Ａから、分類機は明らかに郵便物のスタックから平たい郵便物を取出しする取出し装置と、多重取出しを識別する検出器と、多重取出しの拒絶／リジェクト端末と、住所情報を見つけ出す装置と、分類端末とを備えている。この種の分類機の通常の動作では、郵便物は取出し装置によって郵便物のスタックから取り出され、重なりを識別する検出器を通過し、識別された二重取出しは拒絶端末に送られ、残りの郵便物は識別された住所情報に基づいて分類端末に送られる。この際、分類端末は通常複数回の取出し過程で取り出された同じ宛先の複数の郵便物を受け取る。
【０００３】
現在のところ、取出し装置の多重取出しに起因する重なりを様々な測定原理に基づいて見つけ出す検出器が公知である。
【０００４】
例えば、ＤＥ  ４３  ３７  ００４  Ａ１には、可撓性のある平たい郵便物の重なりを検出する装置及び方法が記載されており、この装置及び方法では、搬送路において各郵便物の少なくとも１つのセグメントが運搬方向に対して垂直方向に可動である。少なくとも１つの偏向エレメントが搬送路に配置されており、可動の郵便物セグメントは、搬送路での運搬中に一時的に所定の量だけ運搬方向に対して垂直に偏向される。検出方向では、郵便物の反動により、郵便物セグメントの重なりがあることが検出される。
【０００５】
別の解決手段（ＤＥ  １９６  ２５  ０４４  Ａ１）では、郵便物の高さに関して光学測定手段を使用して、郵便物の通過中に光学測定システムにより高さの跳びを測定し、高さ測定が繰り返された場合に、重なりを通知する。
【０００６】
上記刊行物では、重なりを識別する検出器の性能値と分類機における性能値の算出については何も述べられていない。
【０００７】
本発明の課題は、多重取出しを識別する検出器と分類機の、多重取出しに関する性能値を正確に求めるコスト安な方法を提供することである。
【０００８】
本発明によれば、多重取出しを識別する検出器と分類機の、多重取出しに関する性能値を求める方法において、
ａ）ｍ≧１回のパスでファンソートプロセスを実行し、該ファンソートプロセスの各パスにおいて、
ａ１）取出し装置により平たい郵便物のスタックから続けざまにＰ回の取出しを行い、
ａ２）各取出しについて、多重取出しを識別する検出器により、そのつど単独取出しなのか又は多重取出しなのかを確かめ、
ａ３）各取出しについて、そのつど取り出された郵便物の集合をＰ個の空の分類端末のうちの１つに導き、
ａ４）関連するＰ個の分類端末の各々について、分類端末の中にある郵便物の数を前記検出器の測定結果と比較することにより、当該パスにおいて誤って多重取出しとして検出された単独取出しの回数ＮＳＤ（ｍ）と当該パスにおいて誤って単独取出しとして検出された多重取出しの回数ＮＤＳ（ｍ）と求め、
ｂ）そのつどＰ回の取出しを行うｍ回のパスにおいて合計でＮ回行われる取出しについて、前記検出器により確認された多重取出しの回数ＮＡＤと前記検出器により確認された単独取出しの回数ＮＡＳを求め、
ｃ）誤って検出された単独取出しの合計回数ＮＳＤと誤って検出された多重取出しの合計回数ＮＤＳを、前記値ＮＳＤ（ｍ）ないしＮＤＳ（ｍ）を合計することにより求め、
ｄ）ステップｂ）及びｃ）において求められた値ＮＡＤ，ＮＡＳ，ＮＳＤ及びＮＤＳから性能値を計算することにより解決される。
【０００９】
まず、ｍ回のパスを持つファンソートプロセスを実行する、ただしｍ≧１。各パスにおいて、取出し装置により平たい郵便物のスタックから続けざまにＰ回の取出しを行う。それぞれの取出しについて、多重取出しを識別する検出器によりそのつど単独取出しなのか又は多重取出しなのかを識別し、そのつど取り出された郵便物の集合をＰ個の空の分類端末のうちの１つに導く。つづいて、このパスにおいて誤って多重取出しとして検出された単独取出しの回数ＮＳＤ（ｍ）とこのパスにおいて誤って単独取出しとして検出された多重取出しの回数ＮＤＳ（ｍ）を求める。これは、関連するＰ個の分類端末の各々について、その分類端末の中にある郵便物の数を検出器の測定結果と比較することによって行われる。そのつどＰ回の取出しを行うｍ回のパスにおいて合計でＮ回行われる取出しについて、検出器により識別された多重取出しの回数ＮＡＤと検出器により識別された単独取出しの回数ＮＡＳを求める。誤って検出された単独取出しの合計回数ＮＳＤと誤って検出された多重取出しの合計回数ＮＤＳを値ＮＳＤ（ｍ）ないしＮＤＳ（ｍ）を合計することにより求める。最後に、求められた値ＮＡＤ，ＮＡＳ，ＮＳＤ及びＮＤＳから性能値の計算を行う。パスの数ｍは要求される制度に依存して選ばれる。
【００１０】
この方法によれば、通常のソートパスの間の期間にファンソートパスを実行し、それに続いて上述した別の方法ステップを実行することにより、分類動作実行中に性能値をコントロールすること可能になる。
【００１１】
本発明の有利な実施形態は従属請求項に示されている。
【００１２】
例えば、多重取出し率ＤＦＲを以下の式により計算すると有利である：
【００１３】
【数１】
2006519741.tif 000003
これにより、誤測定を考慮した上でそれぞれの分類機の取出し装置を特徴付ける量が得られる。
【００１４】
また、識別率ＤＲを以下の式により計算することも有利である：
【００１５】
【数２】
2006519741.tif 000004
この変量は多重取出しの正しい測定の確率を検出器の質を特徴付ける指標として示している。
【００１６】
さらに、誤り率ＥＲを以下の式により計算することも有利である：
【００１７】
【数３】
2006519741.tif 000005
この変量は誤って多重取出しと識別された郵便物の相対数を表しており、それにより誤りの側面から性能を特徴付けている。
【００１８】
つづいて、図面に基づいて本発明をより詳細に説明する。
【００１９】
図１は、平たい郵便物を取り出す際に重なりを識別する装置を使用した分類プロセスのプロセスモデルを示している。
【００２０】
平たい郵便物を取り出す際に重なりを識別する装置を使用した図１による分類プロセスのプロセスモデルは、郵便物を取り出す際の流れ、ならびに、重なりを検出する際及びそれに続く分類の際の流れのより良い理解に役立つ。
【００２１】
ソート動作においてＰ回の取出しを行う取出しプロセスでは、単独取出しの回数ＮＳと多重取出し／重なり（主に二重取出し）の回数ＮＤの両方が現れる。通常の分類過程における検出プロセスにおいては、重なりの回数ＮＤＤが正しく識別され、いわゆる拒絶端末に導かれる一方で、重なりの回数ＮＤＳが識別されず、誤って通常の分類端末に導かれるということが起こる。実際のＮＳ回の単独取出しからは数ＮＳＳが正しく識別され、関連する分類端末に搬送される。同時に、ＮＳＤ回の単独取出しは誤って重なりとして検出され、拒絶端末に搬送される。検出器の性能値を得るためには、様々な誤検出と正しい検出の頻度を統計的に求めなければならない。性能値としては以下の値が求められる：
【００２２】
【数４】
2006519741.tif 000006
【００２３】
拒絶端末へ分類される郵便物の数、したがってまた見かけの多重取出しの回数ＮＡＤは関係式ＮＡＤ＝ＮＤＤ＋ＮＳＤから得られ、見かけの単独取出しの回数ＮＡＳは関係式ＮＡＳ＝ＮＳＳ＋ＮＤＳから得られる。
【００２４】
これらの関係式を援用して、以下では、どうすれば重なり検出器の性能値を正確に求めることができるのかを説明する。重なり検出器は以下の方法シーケンスをサポートするソフトウェアを備えている：
１．検出器を性能値計算モードに設定する。
２．スタックからの郵便物ないし多重取出しを相接して並ぶ分類端末へ１つずつ続けざまに分類するファンソートパスを実行する。
３．各分類端末にある郵便物の数を求め、分類端末を唐にする。
４．検出器により測定された多重取出し／重なりの回数ＮＡＤと検出器により測定された単独取出しの回数ＮＡＳを求める。
５．ファンソートパスに従って各分類端末に入れられた郵便物の数をそれぞれの分類端末に関する検出器の測定結果と比較することにより、誤って検出された単独取出しの回数ＮＳＤと誤って検出された多重取出し／重なりの回数ＮＤＳを求める。
６．要求される精度に応じて、さらなるファンソートパスとポイント４及び５により求められた値の累算とを行う。
７．以下の関係式に従って、重なり率ＤＦＲ、識別率ＤＲ、及び誤り率ＥＲをポイント４及び５に従って求められた合計値から計算する：
【００２５】
【数５】
2006519741.tif 000007
【００２６】
以下の表１には、例としてＰ＝１５の分類端末を用いて実行した平たい郵便物を分類するファンソートパスの結果が示されている。ファンソートパスでは、まず分類端末１へ第１の取出しが分類され、つづいて第２の取出しが分類端末２へ分類され、最終的に１５回目の取出しが分類端末１５に導かれるまで同様に続く。ただしその際、取出しは単独取出しの場合で単独の郵便物から成っていることもあれば、誤った取出しの場合で複数の重なる郵便物から成っていることもある。
【００２７】
【表１】
2006519741.tif 000008
【００２８】
ほとんどの検出結果は正しいが、いくつかは分類端末の内容との比較の際に誤りと判明している。第１行には１５個の端末が記載されており、第２行には分類端末に割り当てられた検出結果が記載されており、第３行には検査結果と各分類端末の内容が記載されている。これから以下のことが分かる：
検出器は分類端末２，５，８及び１５については重なり／多重取出しを測定した。検査の結果は、重なり／多重取出しは分類端末２及び８については該当しないことを示している。なぜならば、分類端末２及び８には単独の郵便物しか存在していなかったからである。その一方で、分類端末１１については、２つの重なる郵便物が存在していたにもかかわらず、単独取出しが検出されている。これらのことから次の値が得られる：
ＮＡＤ＝４
ＮＡＳ＝１１
ＮＳＤ＝２
ＮＤＳ＝１
このことから、重なり率：
【００２９】
【数６】
2006519741.tif 000009
識別率：
【００３０】
【数７】
2006519741.tif 000010
及び誤り率：
【００３１】
【数８】
2006519741.tif 000011
が得られる。
【図面の簡単な説明】
【００３２】
【図１】平たい郵便物を取り出す際に重なりを識別する装置を使用した分類プロセスのプロセスモデルを示す。
【図１】
2006519741.tif 000015
【国際調査報告】
2006519741.tif 000016
2006519741.tif 000017
2006519741.tif 000018
2006519741.tif 000019